(57)【特許請求の範囲】
【請求項１】
原水を供給する供給部と、
前記供給部から供給された原水を濾過する濾過部と、
前記濾過部で濾過された原水を外部に排出してユーザに供給する排出部と、を含み、
前記濾過部は、定電圧が印加された際には電気化学的なイオン交換により原水を濾過し、逆電圧が印加された際には再生されて殺菌水を生成するイオン交換フィルターを含み、
前記供給部は原水が貯蔵される原水タンクを含み、前記原水タンクは、前記イオン交換フィルターで生成された殺菌水により殺菌され、
前記供給部は再生タンクを含み、前記イオン交換フィルターの再生時に前記イオン交換フィルターを通過した再生水が前記再生タンクに集められる、水処理装置。
【請求項２】
前記イオン交換フィルターは、陽電極と、陰電極と、前記陽電極と陰電極との間に備えられるバイポーライオン交換膜と、を含む、請求項１に記載の水処理装置。
【請求項３】
前記濾過部は、第１浄水ラインを介して前記原水タンクに連結される流路切換弁を含み、
前記流路切換弁は、前記流路切換弁とイオン交換フィルターの一側に連結される第２浄水ライン、または前記流路切換弁とイオン交換フィルターの他側に連結される第３浄水ラインに流路を切り換える、請求項１に記載の水処理装置。
【請求項４】
前記第２浄水ラインから第１ドレンラインが分岐され、前記第３浄水ラインから前記排出部に連結される第４浄水ラインが分岐される、請求項３に記載の水処理装置。
【請求項５】
前記第１ドレンラインは第２ドレンラインに連結され、前記第２ドレンラインは、前記原水タンクに連結される原水タンクラインと、前記再生タンクに連結される再生タンクラインに分岐される、請求項４に記載の水処理装置。
【請求項６】
前記原水タンクラインにはフラッシング弁が備えられ、前記再生タンクラインにはドレン弁が備えられる、請求項５に記載の水処理装置。
【請求項７】
前記濾過部と排出部に連結され、前記濾過部で濾過された原水を冷却または加熱する冷温水部をさらに含む、請求項１に記載の水処理装置。
【請求項８】
前記冷温水部は、前記イオン交換フィルターで生成された殺菌水により殺菌される、請求項７に記載の水処理装置。
【請求項９】
前記冷温水部を殺菌した殺菌水は、前記原水タンクに供給されて循環される、請求項８に記載の水処理装置。
【発明の詳細な説明】
【技術分野】
【０００１】
本発明は、水を濾過するなどの処理をしてユーザに供給する水処理装置に関し、より詳細には、定電圧が印加された際には電気化学的なイオン交換により原水を濾過し、逆電圧が印加された際には再生されて殺菌水を生成するイオン交換フィルターを含む水処理装置に関する。
【背景技術】
【０００２】
水処理装置は、水を濾過するなどの処理をしてユーザに供給する装置である。このような水処理装置としては、原水を濾過して浄水を生成する浄水フィルターを含む浄水器や、原水を電気分解してアルカリ水や酸性水とするイオン水器、あるいは炭酸を添加して炭酸水を生成する炭酸水器などが挙げられる。
【０００３】
かかる水処理装置は、外部から流入された細菌などによって汚染される。したがって、水処理装置を周期的に殺菌しないと、ユーザに衛生的な水を供給することができない。
【０００４】
そのために、水処理装置に水処理装置の水を殺菌可能な殺菌部を別に設けるか、別の殺菌部で生成された殺菌水を水処理装置に送って、水処理装置を殺菌している。
【０００５】
このように、殺菌部を別に設けて水処理装置を殺菌する場合、水処理装置のサイズが大きくなり複雑となり、生産が容易ではなく、生産コストが高くなるため、水処理装置の生産コストが増大し、水処理装置を安価で供給することができなかった。
【発明の概要】
【発明が解決しようとする課題】
【０００６】
本発明は、上記のような従来に発生していた要求または問題の少なくとも何れか一つを認識してなされたものである。
【０００７】
本発明の目的の一側面は、殺菌部を別に設けなくても、殺菌水を生成して水処理装置を殺菌する水処理装置を提供することにある。
【０００８】
本発明の目的の他の側面は、定電圧が印加された際には電気化学的なイオン交換により原水を濾過し、逆電圧が印加された際には再生されて殺菌水を生成する、イオン交換フィルターを用いて水処理する水処理装置を提供することにある。
【０００９】
本発明のさらに他の側面は、水処理装置のサイズと生産コストを減少させ、容易に生産することができる水処理装置を提供することにある。
【課題を解決するための手段】
【００１０】
上記課題の少なくとも一つの課題を実現するための一実施形態に係る水処理装置は、次のような特徴を有することができる。
【００１１】
本発明の一実施形態による水処理装置は、原水を供給する供給部と、供給部から供給された原水を濾過する濾過部と、濾過部で濾過された原水を外部に排出してユーザに供給する排出部と、を含み、濾過部は、定電圧が印加されると電気化学的なイオン交換により原水を濾過し、逆電圧が印加されると再生されて殺菌水を生成するイオン交換フィルターを含み、上記供給部は原水が貯蔵される原水タンクを含み、原水タンクは、イオン交換フィルターで生成された殺菌水により殺菌され、また、上記供給部は再生タンクを含み、イオン交換フィルターの再生時にイオン交換フィルターを通過した再生水が再生タンクに集められることができる
【００１２】
この場合、上記イオン交換フィルターは、陽電極と、陰電極と、陽電極と陰電極との間に備えられるバイポーライオン交換膜と、を含むことができる。
【００１５】
また、上記濾過部は、第１浄水ラインを介して原水タンクに連結される流路切換弁を含み、流路切換弁は、流路切換弁とイオン交換フィルターの一側に連結される第２浄水ライン、または流路切換弁とイオン交換フィルターの他側に連結される第３浄水ラインに流路を切り換えることができる。
【００１６】
そして、上記第２浄水ラインから第１ドレンラインが分岐され、第３浄水ラインから排出部に連結される第４浄水ラインが分岐されることができる。
【００１７】
また、上記第１ドレンラインは第２ドレンラインに連結され、第２ドレンラインは、原水タンクに連結される原水タンクラインと、再生タンクに連結される再生タンクラインに分岐されることができる。
【００１８】
そして、上記原水タンクラインにはフラッシング弁が備えられ、再生タンクラインにはドレン弁が備えられることができる。
【００１９】
また、本発明の一実施形態による水処理装置は、上記濾過部と排出部に連結され、濾過部で濾過された原水を冷却または加熱する冷温水部をさらに含むことができる。
【００２０】
そして、上記冷温水部は、イオン交換フィルターで生成された殺菌水により殺菌されることができる。
【００２１】
また、上記冷温水部を殺菌した殺菌水は、原水タンクに供給されて循環されることができる。
【発明の効果】
【００２２】
以上のように、本発明の実施形態によると、定電圧が印加された際には電気化学的なイオン交換により原水を濾過し、逆電圧が印加された際には再生されて殺菌水を生成するイオン交換フィルターを用いて水処理することができる。
【００２３】
また、本発明の実施形態によると、殺菌部を別に設けなくても、イオン交換フィルターで生成された殺菌水により水処理装置を殺菌することができる。
【００２４】
さらに、本発明の実施形態によると、水処理装置のサイズと生産コストを減少させ、水処理装置を容易に生産することができる。
【図面の簡単な説明】
【００２５】
【図１】本発明の一実施形態による水処理装置を示す図である。
【図２】本発明の一実施形態による水処理装置に含まれるイオン交換フィルターの概略的な断面を示す図である。
【図３】本発明の一実施形態による水処理装置の使用状態を示す図である。
【図４】本発明の一実施形態による水処理装置の使用状態を示す図である。
【図５】本発明の一実施形態による水処理装置の使用状態を示す図である。
【図６】本発明の一実施形態による水処理装置の使用状態を示す図である。
【図７】本発明の一実施形態による水処理装置に含まれる供給部の一実施形態を示す斜視図である。
【図８】本発明の一実施形態による水処理装置の供給部の一実施形態に含まれる再生タンクを原水タンクから分離したことを示す斜視図である。
【図９】本発明の一実施形態による水処理装置の供給部の一実施形態の原水タンクを示す分解斜視図である。
【図１０】本発明の一実施形態による水処理装置の供給部の一実施形態の再生タンクを示す分解斜視図である。
【図１１】図８のＡ‐Ａ´線に沿った拡大断面図であって、本発明の一実施形態による水処理装置の供給部の一実施形態の流路連結部に、水処理装置のタンク連結部の原水タンク連結部が連結されていない状態を示す。
【図１２】図８のＡ‐Ａ´線に沿った拡大断面図であって、本発明の一実施形態による水処理装置の供給部の一実施形態の流路連結部に、水処理装置のタンク連結部の原水タンク連結部が連結された状態を示す。
【図１３】図８のＢ‐Ｂ´線に沿った拡大断面図であって、本発明の一実施形態による水処理装置の供給部の一実施形態の再生水流路連結部に、水処理装置のタンク連結部の再生タンク連結部が連結されていない状態を示す。
【図１４】図８のＢ‐Ｂ´線に沿った拡大断面図であって、本発明の一実施形態による水処理装置の供給部の一実施形態の再生水流路連結部に、水処理装置のタンク連結部の再生タンク連結部が連結された状態を示す。
【図１５】図７から図１４に示された供給部の一実施形態を含む、本発明の一実施形態による水処理装置の斜視図である。
【図１６】図１５の本発明の一実施形態による水処理装置の内部が見えるように示した斜視図であって、供給部の一実施形態が装着されていない状態を示す。
【図１７】図１５の本発明の一実施形態による水処理装置の内部が見えるように示した斜視図であって、供給部の一実施形態が装着された状態を示す。
【図１８】図１５の本発明の一実施形態による水処理装置のタンク連結部を拡大した斜視図である。
【図１９】図１５の本発明の一実施形態による水処理装置の原水タンク連結部が供給部の一実施形態の流路連結部に連結されることを示す拡大斜視図である。
【図２０】図１５の本発明の一実施形態による水処理装置の原水タンク連結部が供給部の一実施形態の流路連結部に連結されることを示す拡大斜視図である。
【図２１】図１５の本発明の一実施形態による水処理装置の再生タンク連結部が供給部の一実施形態の再生水流路連結部に連結されることを示す拡大斜視図である。
【図２２】図１５の本発明の一実施形態による水処理装置の再生タンク連結部が供給部の一実施形態の再生水流路連結部に連結されることを示す拡大斜視図である。
【発明を実施するための形態】
【００２６】
上記のような本発明の特徴が容易に理解されるように、以下では、本発明の実施形態に係る水処理装置についてより詳細に説明する。
【００２７】
以下に、図面を参照しながら本発明の実施の形態を詳細に説明する。しかしながら、本発明は、この実施の形態や、本発明の技術的思想を理解する当業者が、本発明の範囲内の他の実施の形態、また、他の構成要素を追加、変更、削除するなどして容易に想到することができる他の退歩的な発明に限定されることはなく、これらも本発明の範囲に含まれる。類似した機能及び作用をする同様の部分に対しては、本発明の技術的思想の開示のなかの図面全体にわたって同様の符号を用いる。
【００２８】
以下、図１から図６を参照して本発明の一実施形態による水処理装置について説明する。
【００２９】
図１は本発明の一実施形態による水処理装置を示す図であり、図２は本発明の一実施形態による水処理装置に含まれるイオン交換フィルターの概略的な断面を示す図であり、図３から図６は本発明の一実施形態による水処理装置の使用状態を示す図である。
【００３０】
本発明の一実施形態による水処理装置１００は、供給部２００と、濾過部３００と、排出部４００と、を含むことができる。
【００３１】
供給部２００は、原水を供給することができる。そのために、供給部２００は、図１に示されたように原水タンク２１０を含むことができる。原水タンク２１０には原水を貯蔵することができる。
【００３２】
例えば、ユーザは、空の原水タンク２１０を水道の蛇口などの原水供給源（図示はしていない）に持って行き、原水タンク２１０に原水供給源の原水を貯蔵することができる。そして、ユーザは、原水タンク２１０を水処理装置１００に装着して、原水が貯蔵された原水タンク２１０を水処理装置１００に含まれる原水ラインＬＲＷに連結することができる。
【００３３】
しかし、供給部２００は特に限定されず、上述の原水供給源であってもよく、原水を供給できるものであれば公知の何れであってもよい。
【００３４】
原水タンク２１０は原水ラインＬＲＷを介して濾過部３００に連結されることができる。例えば、原水タンク２１０は、原水ラインＬＲＷを介して、濾過部３００に含まれる後述の前処理フィルター３２０に連結され、濾過部３００と連結されることができる。
【００３５】
そして、図１に示されたように、原水ラインＬＲＷは、加圧ポンプＰと減圧弁ＶＲとを含むことができる。加圧ポンプＰの作動と減圧弁ＶＲにより、原水タンク２１０に貯蔵された原水を濾過部３００の前処理フィルター３２０に所定圧力で供給することができる。
【００３６】
原水タンク２１０は、濾過部３００に含まれる後述のイオン交換フィルター３１０で生成された殺菌水により殺菌することができる。
【００３７】
供給部２００は、上述の原水タンク２１０の他に、再生タンク２２０を含むことができる。再生タンク２２０には、図４に示されたように、濾過部３００に含まれるイオン交換フィルター３１０の再生時に、イオン交換フィルター３１０を通過した再生水を集めることができる。
【００３８】
また、再生タンク２２０に所定量の再生水が集められると、ユーザは、再生タンク２２０を水処理装置１００から分離して、再生タンク２２０に集められた再生水を捨てることができる。
【００３９】
濾過部３００は、供給部２００から供給された原水を濾過することができる。そのために、濾過部３００は、イオン交換フィルター３１０を含むことができる。
【００４０】
イオン交換フィルター３１０は、定電圧が印加された際には、電気化学的なイオン交換により原水を濾過することができる。また、イオン交換フィルター３１０は、逆電圧が印加された際には、再生されて殺菌水を生成することができる。
【００４１】
したがって、図３に示されたように、原水を濾過して浄水とするためには、定電圧をイオン交換フィルター３１０に印加して、電気化学的なイオン交換によりイオン形態の異物をイオン交換フィルター３１０に捕集する。そして、図４に示されたように、イオン交換フィルター３１０を再生するためには、すなわち、イオン交換フィルター３１０に捕集されたイオン形態の異物をイオン交換フィルター３１０から除去するためには、逆電圧をイオン交換フィルター３１０に印加する。また、図５に示されたように原水タンク２１０を殺菌したり、図６に示されたように後述の冷温水部５００を含む水処理装置１００の全体を殺菌するためには、逆電圧をイオン交換フィルター３１０に印加する。
【００４２】
これにより、殺菌部を別に設けなくても、イオン交換フィルター３１０で生成された殺菌水を用いて水処理装置１００を殺菌することができる。したがって、水処理装置のサイズと生産コストが減少し、水処理装置を容易に生産することができる。
【００４３】
図２に示されたように、イオン交換フィルター３１０は、陽電極３１１と、陰電極３１２と、バイポーライオン交換膜３１３と、を含むことができる。
【００４４】
図２に示されたように、陽電極３１１は、例えば、棒状に形成することきる。そして、陰電極３１２は、棒状の陽電極３１１が内部に挿入される円筒状に形成することができる。
【００４５】
しかしながら、陽電極３１１と陰電極３１２の形状と配置形態は、特に限定されることはなく、どのような形状と配置形態とすることもできる。
【００４６】
陽電極３１１に電源（図示はしていない）の陽極が連結され、陰電極３１２に電源の陰極が連結されると、イオン交換フィルター３１０に定電圧が印加される。また、陽電極３１１に電源の陰極が連結され、陰電極３１２に電源の陽極が連結されると、イオン交換フィルター３１０に逆電圧が印加される。
【００４７】
バイポーライオン交換膜３１３は、陽電極３１１と陰電極３１２との間に備えられることができる。例えば、バイポーライオン交換膜３１３は、図２に示されたように、螺旋状に巻回されて、陽電極３１１と陰電極３１２との間に備えられることができる。これにより、イオン交換フィルター３１０に流入された水、例えば、前処理フィルター３２０で濾過された原水は、螺旋状に巻回されたバイポーライオン交換膜３１３の間の空間を通過することができる。
【００４８】
しかしながら、バイポーライオン交換膜３１３を陽電極３１１と陰電極３１２との間に備える方法は特に限定されることはなく、どのような周知の方法であってもよい。
【００４９】
バイポーライオン交換膜３１３の一面はカチオンが交換されるカチオン交換側であり、他面はアニオンが交換されるアニオン交換側である。これにより、イオン交換フィルター３１０に定電圧が印加されると、バイポーライオン交換膜３１３の間の空間を流動する水に含まれたイオン形態の異物がバイポーライオン交換膜３１３に捕集される。
【００５０】
すなわち、水に含まれたカチオン形態の異物は、電圧差によってバイポーライオン交換膜３１３のカチオン交換側に移動する。そして、カチオン形態の異物は、バイポーライオン交換膜３１３のカチオン交換側に電磁気力によって付いていた水素イオン（Ｈ＋）と交換され、バイポーライオン交換膜３１３のカチオン交換側に捕集される。
【００５１】
また、水に含まれたアニオン形態の異物は、電圧差によってバイポーライオン交換膜３１３のアニオン交換側に移動する。そして、アニオン形態の異物は、バイポーライオン交換膜３１３のアニオン交換側に電磁気力によって付いていた水酸化イオン（ＯＨ−）と交換され、バイポーライオン交換膜３１３のアニオン交換側に捕集される。
【００５２】
そして、バイポーライオン交換膜３１３から分離された水素イオンと水酸化イオンが結合して水となる。これにより、イオン交換フィルター３１０で水が濾過されることができる。
【００５３】
一方、イオン交換フィルター３１０に逆電圧が印加されると、電圧差によってバイポーライオン交換膜３１３のカチオン交換側とアニオン交換側にそれぞれ捕集されたカチオン形態の異物とアニオン形態の異物がバイポーライオン交換膜３１３から分離されることができる。このように、バイポーライオン交換膜３１３から分離されたカチオン形態の異物とアニオン形態の異物は、バイポーライオン交換膜３１３の間を流動する水に含まれ、図４に示されたようにイオン交換フィルター３１０から排出されることができる。そして、イオン形態の異物が含まれた再生水は、図４に示されたように上述の再生タンク２２０に集められることができる。
【００５４】
このようにイオン交換フィルター３１０に逆電圧が印加されると、バイポーライオン交換膜３１３のアニオン交換側に捕集された塩素イオン（Ｃｌ−）もバイポーライオン交換膜３１３から分離されることができる。そして、バイポーライオン交換膜３１３から分離された塩素イオン（Ｃｌ−）は、陽電極３１１に電子を供給することで酸化され、塩素気体（Ｃｌ２）となって水に溶けることになる。したがって、イオン交換フィルター３１０に逆電圧を印加することで、殺菌水を生成することができる。
【００５５】
濾過部３００は、上述のイオン交換フィルター３１０の他にも、図１に示されたように、前処理フィルター３２０と、後処理フィルター３３０と、をさらに含むことができる。前処理フィルター３２０は、イオン交換フィルター３１０の前段に位置し、イオン交換フィルター３１０によって原水が濾過される前に原水に含まれた比較的大きい異物を濾過することができる。また、後処理フィルター３３０は、イオン交換フィルター３１０の後段に位置し、イオン交換フィルター３１０によって濾過された原水を濾過させることができる。例えば、後処理フィルター３３０では臭気粒子などを濾過することができる。
【００５６】
しかしながら、濾過部３００にイオン交換フィルター３１０の他に含まれるフィルターの種類や数または配置される位置は特に限定されることはなく、イオン交換フィルター３１０とともに原水を濾過できるものであれば、どのような種類や数または配置される位置のフィルターを用いることができる。
【００５７】
濾過部３００は流路切換弁ＶＣを含むことができる。流路切換弁ＶＣは、第１浄水ラインＬＦ１を介して原水タンク２１０に連結されることができる。図１に示されたように、第１浄水ラインＬＦ１が、原水ラインＬＲＷに連結された前処理フィルター３２０に連結されることで、流路切換弁ＶＣは、第１浄水ラインＬＦ１を介して原水タンク２１０に連結されることができる。しかしながら、第１浄水ラインＬＦ１は、原水ラインＬＲＷを介して原水タンク２１０に連結されてもよく、また、原水タンク２１０に直接連結されてもよい。
【００５８】
図１に示されたように、第１浄水ラインＬＦ１には、原水供給弁ＶＲＷを備えることができる。図３から図６に示されたように、原水供給弁ＶＲＷが開くと、原水タンク２１０に貯蔵された原水は、前処理フィルター３２０を経てイオン交換フィルター３１０に流入することができる。
【００５９】
流路切換弁ＶＣには、第２浄水ラインＬＦ２と第３浄水ラインＬＦ３を連結することができる。そして、流路切換弁ＶＣは、流路を第２浄水ラインＬＦ２または第３浄水ラインＬＦ３に切り換えることができる。
【００６０】
第２浄水ラインＬＦ２は、流路切換弁ＶＣとイオン交換フィルター３１０の一側、例えば、上部に連結されることができる。また、第３浄水ラインＬＦ３は、流路切換弁ＶＣとイオン交換フィルター３１０の他側、例えば、下部に連結されることができる。
【００６１】
これにより、流路切換弁ＶＣによって流路を第２浄水ラインＬＦ２に切り換えると、図３及び図６に示されたように、前処理フィルター３２０によって濾過された原水は、第２浄水ラインＬＦ２とイオン交換フィルター３１０の一側を介してイオン交換フィルター３１０に流入し、その後、イオン交換フィルター３１０の他側と第３浄水ラインＬＦ３を介してイオン交換フィルター３１０から排出される。
【００６２】
また、流路切換弁ＶＣによって流路を第３浄水ラインＬＦ３に切り換えると、図４及び図５に示されたように、前処理フィルター３２０によって濾過された原水は、第３浄水ラインＬＦ３とイオン交換フィルター３１０の他側を介してイオン交換フィルター３１０に流入し、その後、イオン交換フィルター３１０の一側と第２浄水ラインＬＦ２を介してイオン交換フィルター３１０から排出される。
【００６３】
第３浄水ラインＬＦ３には高流量センサーＳＦ１が備えられており、流動する水の流量を測定することができる。
【００６４】
図１に示されたように、第１ドレンラインＬＤ１は、第２浄水ラインＬＦ２から分岐させることができる。第１ドレンラインＬＤ１は、第２ドレンラインＬＤ２と連結させることができる。
【００６５】
第２ドレンラインＬＤ２は、原水タンク２１０に連結される原水タンクラインＬＲＴと、再生タンク２２０に連結される再生タンクラインＬＲＧとに分岐させることができる。そして、原水タンクラインＬＲＴにはフラッシング弁ＶＦを備え、再生タンクラインＬＲＧにはドレン弁ＶＤを備えることができる。
【００６６】
第４浄水ラインＬＦ４は、第３浄水ラインＬＦ３から分岐させることができる。第４浄水ラインＬＦ４は、排出部４００と連結することができる。第４浄水ラインＬＦ４は、上述の後処理フィルター３３０と、後処理フィルター３３０に連結される第５浄水ラインＬＦ５を介して、排出部４００、例えば、排出部４００に含まれる後述の排出開閉弁４２０に連結される浄水排出ラインＬＰＤと連結することができる。しかしながら、第４浄水ラインＬＦ４は、浄水排出ラインＬＰＤを介して第５浄水ラインＬＦ５に連結されてもよく、また、浄水排出ラインＬＰＤに直接連結されてもよい。
【００６７】
このような構成において、図３に示された状態では、原水供給弁ＶＲＷが開かれ、流路切換弁ＶＣが流路を第２浄水ラインＬＦ２に切り換え、定電圧がイオン交換フィルター３１０に印加され、フラッシング弁ＶＦとドレン弁ＶＤとが閉じられ、排出開閉弁４２０が開かれ、排出切換弁４１０が後述する排出開閉弁４２０に連結されて、流路を外側に切り換える。
【００６８】
これにより、原水タンク２１０に貯蔵された原水は、加圧ポンプＰによって原水ラインＬＲＷを流動し、前処理フィルター３２０に流入されて濾過される。前処理フィルター３２０で濾過された原水は、第１浄水ラインＬＦ１と、流路切換弁ＶＣと、第２浄水ラインＬＦ２とを流動し、イオン交換フィルター３１０に流入して濾過される。また、イオン交換フィルター３１０で濾過された原水は、第３浄水ラインＬＦ３と第４浄水ラインＬＦ４を流動し、後処理フィルター３３０に流入して濾過される。そして、後処理フィルター３３０で濾過された原水、すなわち、浄水は、第５浄水ラインＬＦ５と浄水排出ラインＬＰＤを流動し、排出開閉弁４２０と排出切換弁４１０とを介して外部に排出されて、ユーザに供給される。
【００６９】
図４に示された状態では、原水供給弁ＶＲＷが開かれ、流路切換弁ＶＣが流路を第３浄水ラインＬＦ３に切り換え、逆電圧がイオン交換フィルター３１０に印加され、フラッシング弁ＶＦが閉じられ、ドレン弁ＶＤが開かれ、排出開閉弁４２０が閉じられる。
【００７０】
これにより、原水タンク２１０に貯蔵された原水は、加圧ポンプＰによって原水ラインＬＲＷを流動し、前処理フィルター３２０に流入されて濾過される。前処理フィルター３２０で濾過された原水は、第１浄水ラインＬＦ１と、流路切換弁ＶＣと、第３浄水ラインＬＦ３とを流動し、イオン交換フィルター３１０に流入してイオン交換フィルター３１０を再生させる。イオン交換フィルター３１０を再生した再生水は、第２浄水ラインＬＦ２と、第１ドレンラインＬＤ１と、第２ドレンラインＬＤ２と、再生タンクラインＬＲＧとを流動して、再生タンク２２０に集められる。
【００７１】
このようなイオン交換フィルター３１０の再生は、原水タンク２１０に貯蔵された殆どの原水が濾過されて所定量の原水のみが残った状態で行うことができる。したがって、イオン交換フィルター３１０の再生後に原水タンク２１０は空にすることができる。
【００７２】
図５に示された状態では、原水供給弁ＶＲＷが開かれ、流路切換弁ＶＣが流路を第３浄水ラインＬＦ３に切り換え、逆電圧がイオン交換フィルター３１０に印加され、フラッシング弁ＶＦが開かれ、ドレン弁ＶＤが閉じられ、排出開閉弁４２０が閉じられる。
【００７３】
これにより、原水タンク２１０に貯蔵された原水は、加圧ポンプＰによって原水ラインＬＲＷを流動し、前処理フィルター３２０に流入されて濾過される。前処理フィルター３２０で濾過された原水は、第１浄水ラインＬＦ１と、流路切換弁ＶＣと、第３浄水ラインＬＦ３とを流動して、殺菌水を生成するイオン交換フィルター３１０に流入される。イオン交換フィルター３１０で生成された殺菌水は、第２浄水ラインＬＦ２と、第１ドレンラインＬＤ１と、第２ドレンラインＬＤ２と、原水タンクラインＬＲＴとを流動して原水タンク２１０に流入され、原水タンク２１０を殺菌することになる。
【００７４】
原水タンク２１０に流入された殺菌水は、前処理フィルター３２０とイオン交換フィルター３１０を循環し続けて、原水タンク２１０を殺菌する。
【００７５】
このような原水タンク２１０の殺菌は、原水タンク２１０に原水が充満している状態で、図３に示されたように原水を濾過して浄水を生成する前に行うことができる。しかしながら、浄水を生成する間にも、原水タンク２１０を殺菌することができる。
【００７６】
一方、第１ドレンラインＬＤ１にはドレン開閉弁ＶＤＣが備えられ、第１ドレンラインＬＤ１を開閉することができる。
【００７７】
排出部４００は、濾過部３００で濾過された原水、すなわち、浄水を外部に排出して、ユーザに供給することができる。そのために、排出部４００は、排出切換弁４１０と、排出開閉弁４２０と、を含むことができる。排出切換弁４１０は排出開閉弁４２０と連結されることができる。そして、排出開閉弁４２０は、浄水排出ラインＬＰＤを介して、第５浄水ラインＬＦ５に連結されることができる。
【００７８】
したがって、図３に示されたように、排出切換弁４１０が流路を外部に切り換え、排出開閉弁４２０が開かれると、前処理フィルター３２０と、イオン交換フィルター３１０と、後処理フィルター３３０とによって濾過された原水、すなわち、浄水は、第５浄水ラインＬＦ５を流動し、排出開閉弁４２０と排出切換弁４１０を介して外部に排出されて、ユーザに供給される。
【００７９】
一方、本発明の一実施形態による水処理装置１００は、冷温水部５００をさらに含むことができる。冷温水部５００は、濾過部３００と排出部４００に連結されることができる。そして、冷温水部５００は、濾過部３００で濾過された原水、すなわち、浄水を冷却または加熱することができる。
【００８０】
そのために、冷温水部５００は、冷水タンク５１０と、瞬間温水器５２０と、を含むことができる。冷水タンク５１０は、冷媒が流動する蒸発器や熱電モジュールを有する冷却ユニット５１１を含み、流入された水を冷却させることができる。また、瞬間温水器５２０は、ヒーター５２１を含むことができ、これにより、流入された水を瞬間的に加熱することができる。
【００８１】
第５浄水ラインＬＦ５には冷温水ラインＬＣＨを連結することができる。そして、冷温水ラインＬＣＨは、冷水タンク５１０に連結される冷水ラインＬＣと、瞬間温水器５２０に連結される温水ラインＬＨとに分岐させることができる。これにより、冷温水部５００を濾過部３００に連結することができる。
【００８２】
そして、冷水タンク５１０は、冷水排出ラインＬＣＤを介して排出開閉弁４２０に連結され、瞬間温水器５２０は、温水排出ラインＬＨＤを介して排出切換弁４１０に連結されることができる。
【００８３】
これにより、前処理フィルター３２０と、イオン交換フィルター３１０と、後処理フィルター３３０とによって濾過された原水、すなわち、浄水は、図３に示されたように、冷温水ラインＬＣＨと、冷水ラインＬＣと、温水ラインＬＨとを流動して、冷水タンク５１０と瞬間温水器５２０にそれぞれ流入されることができる。
【００８４】
そして、排出開閉弁４２０が開かれ排出切換弁４１０が流路を外部に切り換えると、冷水タンク５１０で冷却した浄水、すなわち、冷水と、瞬間温水器５２０で加熱された浄水、すなわち、温水は、排出開閉弁４２０と排出切換弁４１０を介して外部に排出されて、ユーザに供給されることができる。
【００８５】
冷水タンク５１０は、タンクドレン弁ＶＤＴを含むタンクドレンラインＬＤＴと連結することができる。これにより、タンクドレン弁ＶＤＴが開かれると、冷水タンク５１０に貯蔵された冷水が外部に排水されることができる。
【００８６】
また、冷水タンク５１０と排出切換弁４１０は、タンクベント弁ＶＶＴを含むタンクベントラインＬＶＴに連結することができる。これにより、浄水が冷水タンク５１０に流入したときに、タンクベント弁ＶＶＴが開かれて排出切換弁４１０が流路を外部に切り換えると、冷水タンク５１０内の空気がタンクベント弁ＶＶＴを流動して、外部に排出される。
【００８７】
温水ラインＬＨは、低流量センサーＳＦ２と、温度センサーＳＴと、流量調節弁ＶＦＣとを含むことができる。これにより、瞬間温水器５２０に流入される浄水の流量と温度を測定して、瞬間温水器５２０に流入される浄水の流量を調節することができる。
【００８８】
また、温水排出ラインＬＨＤは、温度センサーＳＴを含むことができる。これにより、温水排出ラインＬＨＤを流動する温水の温度を測定することができる。
【００８９】
冷温水部５００は、イオン交換フィルター３１０で生成された殺菌水により殺菌することができる。また、冷温水部５００を殺菌した殺菌水は、原水タンク２１０に供給して循環させることができる。
【００９０】
そのために、第２ドレンラインＬＤ２に連結される第３ドレンラインＬＤ３は、排出切換弁４１０に連結することができる。
【００９１】
そして、原水供給弁ＶＲＷが開かれ、流路切換弁ＶＣによって流路が第２浄水ラインＬＦ２に切り換えられ、逆電圧がイオン交換フィルター３１０に印加されるようにする。また、フラッシング弁ＶＦが開かれ、ドレン弁ＶＤが閉じられ、排出開閉弁４２０が開かれ、排出切換弁４１０によって流路が第３ドレンラインＬＤ３に切り換えられるようにする。
【００９２】
これにより、図６に示されたように、原水タンク２１０に貯蔵された原水は、加圧ポンプＰによって原水ラインＬＲＷを流動し、前処理フィルター３２０に流入されて濾過される。前処理フィルター３２０で濾過された原水は、第１浄水ラインＬＦ１と、流路切換弁ＶＣと、第２浄水ラインＬＦ２とを流動して、殺菌水を生成するイオン交換フィルター３１０に流入される。イオン交換フィルター３１０で生成された殺菌水は、第３浄水ラインＬＦ３と第４浄水ラインＬＦ４を流動して、後処理フィルター３３０を殺菌する。
【００９３】
後処理フィルター３３０を殺菌した殺菌水は、第５浄水ラインＬＦ５と浄水排出ラインＬＰＤを流動して、排出開閉弁４２０と排出切換弁４１０を通過する。また、後処理フィルター３３０を殺菌した殺菌水は、冷温水ラインＬＣＨと、冷水ラインＬＣと、温水ラインＬＨとを流動して、冷水タンク５１０と瞬間温水器５２０を殺菌する。冷水タンク５１０と瞬間温水器５２０を殺菌した殺菌水は、冷水排出ラインＬＣＤを流動して排出開閉弁４２０と排出切換弁４１０を通過するか、または、温水排出ラインＬＨＤを流動して排出切換弁４１０を通過する。
【００９４】
排出切換弁４１０を通過した殺菌水は、第３ドレンラインＬＤ３と、第２ドレンラインＬＤ２と、原水タンクラインＬＲＴとを流動して、原水タンク２１０に供給される。そして、原水タンク２１０に供給された殺菌水は、前処理フィルター３２０と、イオン交換フィルター３１０と、後処理フィルター３３０と、冷水タンク５１０と、瞬間温水器５２０とを循環しながら殺菌することができる。これにより、水処理装置１００の全体が、イオン交換フィルター３１０で生成された殺菌水により殺菌されることができる。
【００９５】
一方、第３ドレンラインＬＤ３には逆止弁ＣＶが備えられており、第３ドレンラインＬＤ３を流動する水の逆流を防止することができる。
【００９６】
以下では、図７から図１４を参照して、本発明の一実施形態による水処理装置の供給部の一実施形態について説明する。
【００９７】
図７は、本発明の一実施形態による水処理装置に含まれる供給部の一実施形態を示す斜視図であり、図８は、本発明の一実施形態による水処理装置の供給部の一実施形態に含まれる再生タンクを原水タンクから分離させて示した斜視図である。
【００９８】
また、図９は、本発明の一実施形態による水処理装置の供給部の一実施形態の原水タンクを示す分解斜視図であり、図１０は、本発明の一実施形態による水処理装置の供給部の一実施形態の再生タンクを示す分解斜視図である。
【００９９】
そして、図１１及び図１２は、図８のＡ‐Ａ´線に沿った拡大断面図であって、本発明の一実施形態による水処理装置の供給部の一実施形態の流路連結部に、水処理装置のタンク連結部の原水タンク連結部が連結されていない状態と、連結された状態を示したものである。
【０１００】
また、図１３及び図１４は、図８のＢ‐Ｂ´線に沿った拡大断面図であって、本発明の一実施形態による水処理装置の供給部の一実施形態の再生水流路連結部に、水処理装置のタンク連結部の再生タンク連結部が連結されていない状態と、連結された状態を示したものである。
【０１０１】
本発明の一実施形態による水処理装置１００の供給部２００の一実施形態は、図７に示されたように、タンク形態を有することができる。
【０１０２】
供給部２００は、原水タンク２１０と、流路連結部２３０とを含むことができる。
【０１０３】
例えば、図１５に示されたように、本発明の一実施形態による水処理装置１００に供給される原水は、原水タンク２１０に貯蔵されることができる。また、原水タンク２１０は移動可能である。
【０１０４】
これにより、原水タンク２１０を水道の蛇口などの原水供給源（図示はしていない）に移動させた後、原水供給源の原水を原水タンク２１０に供給して貯蔵することができる。そして、原水が貯蔵された原水タンク２１０を水処理装置１００に移動させた後、原水タンク２１０を水処理装置１００に装着して原水を水処理することができる。
【０１０５】
図８及び図９に示されたように、原水タンク２１０は、原水タンク本体２１１と原水タンク蓋２１２とを含むことができる。
【０１０６】
原水タンク本体２１１は貯蔵空間を形成することができる。原水タンク本体２１１の貯蔵空間は原水を貯蔵することができる。また、原水タンク本体２１１の下部に車輪２１１１を備えることができる。これにより、原水タンク２１０を容易に移動させることができる。したがって、本発明の一実施形態による水処理装置１００の、実施の一形態における供給部２００を容易に原水供給源または水処理装置１００に移動させることができる。
【０１０７】
原水タンク本体２１１は、昇降移動することができる水位検知用部材２１３を含むことができる。水位検知用部材２１３はリング形状を有することができる。例えば、水位検知用部材２１３は、図９に示されたように円形のリング形状を有することができる。そして、水位検知用部材２１３は、原水タンク本体２１１に備えられた昇降ガイド２１１２に中央部が挿入され、昇降ガイド２１１２に沿って昇降されることができる。
【０１０８】
水位検知用部材２１３は水に浮かぶ素材により形成することができる。これにより、水位検知用部材２１３は、原水タンク本体２１１に貯蔵された原水の水位に応じて昇降ガイド２１１２に対して昇降されることができる。例えば、水位検知用部材２１３は、発泡スチロールにより構成することができる。しかし、水位検知用部材２１３を成す素材は特に限定されることはなく、水より比重が小さくて水に浮かぶことができる素材であれば、どのような素材も用いることができる。
【０１０９】
図９に示されたように、水位検知用部材２１３は、磁石２１３１を含むことができる。また、供給部２００の一実施形態が装着される水処理装置１００には、磁力を検知する磁力検知センサー（図示はしていない）を備えることができる。これにより、原水タンク２１０が水処理装置１００に装着されると、水処理装置１００に備えられた磁力検知センサーが水位検知用部材２１３の磁石２１３１の磁力を検知することで、原水タンク２１０に貯蔵された原水の水位を検知することができる。
【０１１０】
原水タンク本体２１１には、例えば両側面のそれぞれに、装着ガイド突起２１１３を形成することができる。このような装着ガイド突起２１１３は、原水タンク２１０を水処理装置１００に装着するときに、水処理装置１００に形成された装着ガイド溝１２３に係止させるよう挿入することができる。これにより、原水タンク２１０を水処理装置１００に装着すると、原水タンク２１０が水処理装置１００から容易に外れないようにすることができる。
【０１１１】
原水タンク本体２１１は、把手部２１４を備えることができる。把手部２１４は、移動可能な把手２１４２を含むことができる。これにより、ユーザは、原水タンク２１０に対する把手２１４２の高さを調整して、原水タンク２１０を容易に移動させることができる。
【０１１２】
把手部２１４は、原水タンク本体２１１に備えられる把手支持部材２１４１を含むことができる。そして、移動用把手２１４２は、把手支持部材２１４１に移動可能に備えられることができる。これにより、ユーザは、原水タンク２１０の移動に適するように移動用把手２１４２の高さを調節することができ、より容易に原水タンク２１０を移動させることができる。
【０１１３】
後述の再生タンク２２０を原水タンク２１０が備えている場合に、把手部２１４には、再生タンク２２０を原水タンク２１０から容易に外れないように固定する再生タンク固定部２１５を備えることができる。
【０１１４】
再生タンク固定部２１５は、固定部ケース２１５１と、固定旋回部材２１５２と、ボタン部材２１５３とを含むことができる。
【０１１５】
固定部ケース２１５１は、例えば、図９に示されたように、一側が開放された直角平行六面体とすることができる。しかしながら、固定部ケース２１５１の形状は特に限定されることはなく、どのような形状であっても可能である。
【０１１６】
固定部ケース２１５１は、把手支持部材２１４１に備えられることができる。例えば、固定部ケース２１５１は、開放された一側が把手支持部材２１４１に向くように、把手支持部材２１４１に備えられることができる。そして、固定部ケース２１５１の開放された側の反対側には、通過孔２１５１ａを形成することができる。
【０１１７】
固定旋回部材２１５２は、固定部ケース２１５１に旋回可能に備えられることができる。固定旋回部材２１５２の一側は、固定部ケース２１５１の通過孔２１５１ａを通過して突出されることができる。このような状態で、原水タンク２１０上に再生タンク２２０が備えられると、再生タンク２２０に形成された後述の固定用溝２２１１に固定旋回部材２１５２の一側が嵌合される。これにより、再生タンク２２０が原水タンク２１０上に備えられた際に、再生タンク２２０が原水タンク２１０から容易に外れないように固定されることができる。
【０１１８】
ボタン部材２１５３は、固定部ケース２１５１と把手支持部材２１４１との間に移動可能に備えられることができる。また、ボタン部材２１５３は、把手支持部材２１４１に形成されたボタン部材挿入孔２１４１ａに移動可能に挿入されることができる。
【０１１９】
これにより、ユーザがボタン部材２１５３を押すと、ボタン部材２１５３が固定旋回部材２１５２の他側を押し、固定旋回部材２１５２を旋回させて、固定旋回部材２１５２の一側が通過孔２１５１ａを通過していない状態となるようにすることができる。そして、このような状態では、再生タンク２２０を原水タンク２１０から容易に外すことができる。
【０１２０】
原水タンク本体２１１には、嵌合突起２１１４を形成することができる。嵌合突起２１１４には、後述の原水タンク蓋２１２に備えられたフック部材２１２３を嵌合することができる。
【０１２１】
原水タンク蓋２１２は、原水タンク本体２１１の開放した上部を覆うことができる。原水タンク蓋２１２は、フック部材２１２３を含むことができる。そして、フック部材２１２３には、嵌合孔２１２３ａを形成することができる。フック部材２１２３の嵌合孔２１２３ａに原水タンク本体２１１の嵌合突起２１１４を嵌合することで、原水タンク蓋２１２を原水タンク本体２１１に連結することができる。
【０１２２】
原水タンク本体２１１と原水タンク蓋２１２との間には、密封部材２１６を備ることができる。このような密封部材２１６により、原水タンク本体２１１と原水タンク蓋２１２を含む原水タンク２１０の内部が密閉されることができる。
【０１２３】
原水タンク蓋２１２は、流路連結部２３０に含まれる後述の原水流路連結部２３１の第１供給部２１２１を含むことができる。第１供給部２１２１の上部は開放しており、下部には、図１１に示されたように原水流動孔２１２１ａを形成することができる。
【０１２４】
また、原水タンク蓋２１２は、流路連結部２３０に含まれる後述の殺菌水流路連結部２３２の第２供給部２１２２を含むことができる。第２供給部２１２２の上部は開放されており、第２供給部２１２２の下部には、図１１に示されたように殺菌水流動孔２１２２ａを形成することができる。
【０１２５】
原水タンク蓋２１２は、第１原水供給部２１２４を含むことができる。第１原水供給部２１２４は、栓２１２５により覆われることができる。これにより、栓２１２５を第１原水供給部２１２４から取り除いて、第１原水供給部２１２４を開放した状態では、第１原水供給部２１２４を介して原水を原水タンク２１０に供給することができる。
【０１２６】
原水タンク蓋２１２は、第２原水供給部２１２６を含むことができる。そして、第２原水供給部２１２６は、供給密封部材２１２７を含むことができ、供給密封部材２１２７は、ホース通過孔２１２７ａを含むことができる。また、供給密封部材２１２７上にはトング部材（a tongs member）２１２８を備えることができる。トング部材２１２８にはホース（図示はしていない）を連結することができる。そして、トング部材２１２８に連結されたホースは、供給密封部材２１２７のホース通過孔２１２７ａを通って原水タンク２１０の内部に位置することができる。
【０１２７】
このような状態で、ホースをトング部材２１２８で水道の蛇口などの原水供給源に連結することにより、ホースを介して原水供給源の原水を原水タンク２１０に容易に供給することができる。
【０１２８】
原水タンク２１０は、流路連結部２３０を備えることができる。原水を貯蔵した原水タンク２１０が移動して水処理装置１００に装着されると、図１２に示されたように、流路連結部２３０は、水処理装置１００に含まれるタンク連結部１４０に含まれた原水タンク連結部１４１に連結されることができる。
【０１２９】
原水タンク連結部１４１は、例えば、図１８に示されたように、タンク連結部１４０に含まれる旋回可能な連結部支持部材１４３を備えることができ、弾性部材（図示はしていない）によって弾性支持されることができる。また、原水タンク連結部１４１は、側面視において「、。」字形状を有することができる。このような原水タンク連結部１４１は、水処理装置１００に含まれた濾過部３００に連結することができる。
【０１３０】
これにより、原水タンク２１０が水処理装置１００に装着されていない状態で、原水タンク連結部１４１は、図１９に示されたように、弾性部材の弾性力によって旋回されて待機位置に位置することができる。
【０１３１】
また、原水タンク２１０が水処理装置１００に装着されると、原水タンク連結部１４１は、図２０に示されたように、原水タンク２１０の移動によって連結位置に旋回されて流路連結部２３０に連結されることができる。
【０１３２】
これにより、原水が貯蔵された原水タンク２１０を水処理装置１００に装着した後、別に原水タンク２１０を水処理装置１００、例えば、水処理装置１００に含まれる濾過部３００に連結しなくても、原水タンク２１０を水処理装置１００に装着すれば、原水タンク２１０を水処理装置１００に連結することができる。
【０１３３】
流路連結部２３０は、上述の原水タンク蓋２１２に備えられることができる。しかしながら、流路連結部２３０が備えられる位置は特に限定されることはなく、原水タンク本体２１１など、原水タンク２１０のどのような位置に備えることもできる。
【０１３４】
流路連結部２３０は、原水流路連結部２３１を含むことができる。図１２に示されたように、原水流路連結部２３１は、原水タンク連結部１４１に備えられた原水連結部１４１ａと連結して、上述の原水ラインＬＲＷなどを介して水処理装置１００、例えば、水処理装置１００の濾過部３００に連結されることができる。
【０１３５】
これにより、図１２に示されたように、原水タンク２１０の原水を、流路連結部２３０と、原水連結部１４１ａと、原水タンク連結部１４１とを介して水処理装置１００、例えば、水処理装置１００の濾過部３００に供給することができる。
【０１３６】
原水流路連結部２３１は、逆止弁２３１１と、原水密封部材２３１２とを含むことができる。
【０１３７】
逆止弁２３１１は、上述の原水タンク蓋２１２の第１供給部２１２１に備えられることができる。逆止弁２３１１により、原水タンク２１０の原水が水処理装置１００に流動することは可能であるが、水処理装置１００から原水タンク２１０に原水が流動することはできない。
【０１３８】
逆止弁２３１１は、弁ケース２３１１ａと、逆止開閉部材２３１１ｂと、逆止弾性部材２３１１ｃと、支持部材２３１１ｄとを含むことができる。
【０１３９】
弁ケース２３１１ａの一側及び他側は、開放することができる。そして、逆止開閉部材２３１１ｂは、弁ケース２３１１ａの開放された他側、例えば、開放された下部を開閉することができる。また、逆止弾性部材２３１１ｃは、逆止開閉部材２３１１ｂを弾性支持することができる。そして、支持部材２３１１ｄは、弁ケース２３１１ａの開放された一側、例えば、開放された上部に備えられることができ、逆止弾性部材２３１１ｃを支持することができる。支持部材２３１１ｄには、原水が通過できるように、原水通過孔２３１１ｅを形成することができる。
【０１４０】
原水密封部材２３１２は、図１１に示されたように、逆止弁２３１１上の第１供給部２１２１の部分に備えられることができる。そして、図１２に示されたように、原水密封部材２３１２には原水連結部１４１ａが密封されるように連結されることができる。原水密封部材２３１２は、原水通過孔２３１２ａを含むことができる。これにより、逆止弁２３１１を通過した原水は、原水密封部材２３１２の原水通過孔２３１２ａを介して原水連結部１４１ａに流動することができる。
【０１４１】
流路連結部２３０は、殺菌水流路連結部２３２をさらに含むことができる。殺菌水流路連結部２３２は、図１２に示されたように、原水タンク連結部１４１に備えられた殺菌水連結部１４１ｂに連結されることができる。殺菌水連結部１４１ｂは、上述の原水タンクラインＬＲＴなどを介して水処理装置１００、例えば、水処理装置１００の濾過部３００に連結されることができる。
【０１４２】
これにより、水処理装置１００、例えば、水処理装置１００の濾過部３００で生成された殺菌水は、原水タンク連結部１４１と、殺菌水連結部１４１ｂと、殺菌水流路連結部２３２とを介して原水タンク２１０に供給されることができる。そして、原水タンク２１０が殺菌水により殺菌されることができる。
【０１４３】
殺菌水流路連結部２３２は、逆止弁２３２１と、殺菌水密封部材２３２２とを含むことができる。
【０１４４】
逆止弁２３２１は、上述の原水タンク蓋２１２の第２供給部２１２２に備えられることができる。逆止弁２３２１により、水処理装置１００で生成された殺菌水は、原水タンク２１０に流動することは可能であるが、原水または殺菌水は、原水タンク２１０から水処理装置１００に流動することができない。
【０１４５】
逆止弁２３２１は、弁ケース２３２１ａと、逆止開閉部材２３２１ｂと、逆止弾性部材２３２１ｃと、支持部材２３２１ｄとを含むことができる。弁ケース２３２１ａの一側及び他側は、開放されることができる。そして、逆止開閉部材２３２１ｂは、弁ケース２３２１ａの開放された一側、例えば、開放された上側を開閉することができる。また、逆止弾性部材２３２１ｃは逆止開閉部材２３２１ｂを弾性支持することができる。そして、支持部材２３２１ｄは、弁ケース２３２１ａの開放された他側、例えば、開放された下部に備えられることができ、逆止弾性部材２３２１ｃを支持することができる。支持部材２３２１ｄには、殺菌水が通過できるように、殺菌水通過孔２３２１ｅを形成することができる。
【０１４６】
殺菌水密封部材２３２２は、図１１に示されたように、逆止弁２３２１上の第２供給部２１２２の部分に備えられることができる。そして、図１２に示されたように、殺菌水密封部材２３２２は、殺菌水連結部１４１ｂを密封するように、殺菌水連結部１４１ｂに連結されることができる。殺菌水密封部材２３２２は、殺菌水通過孔２３２２ａを含むことができる。これにより、水処理装置１００で生成された殺菌水は、殺菌水連結部１４１ｂと、殺菌水密封部材２３２２の殺菌水通過孔２３２２ａと、逆止弁２３２１とを通過して原水タンク２１０に供給されることができる。
【０１４７】
本発明の一実施形態による水処理装置１００の供給部２００の一実施形態は、再生タンク２２０と、再生水流路連結部２４０とを、さらに含むことができる。
【０１４８】
図７に示されたように、再生タンク２２０は、原水タンク２１０とともに移動するように原水タンク２１０上に備えられることができる。再生タンク２２０には、水処理装置１００で発生した、例えば、水処理装置１００の濾過部３００で発生した再生水を貯蔵することができる。
【０１４９】
これにより、原水タンク２１０に貯蔵された原水が全部消費された場合、ユーザは、原水タンク２１０とともに再生タンク２２０を水処理装置１００から取り外し、原水タンク２１０と再生タンク２２０をともに、例えば、原水供給源に移動させることができる。
【０１５０】
そして、原水は、原水供給源から供給されて原水タンク２１０に貯蔵され、再生タンク２２０に貯蔵された再生水は、捨てることができる。また、ユーザは、原水を満たした原水タンク２１０と空の再生タンク２２０をともに水処理装置１００に移動させ、水処理装置１００に装着することができる。
【０１５１】
図７、図８及び図１０に示されたように、再生タンク２２０は、再生タンク本体２２１と、再生タンク蓋２２２とを含むことができる。
【０１５２】
再生タンク本体２２１には貯蔵空間が形成されることができる。再生タンク本体２２１の貯蔵空間には再生水を貯蔵することができる。再生タンク本体２２１には固定用溝２２１１が形成されることができる。上述のように、再生タンク２２０が原水タンク２１０上に備えられるときに、再生タンク固定部２１５の固定旋回部材２１５２の一側を固定用溝２２１１に嵌合して、再生タンク２２０を原水タンク２１０上に固定することができる。
【０１５３】
再生タンク本体２２１にも、水位検知用部材２２３を昇降可能に備えることができる。水位検知用部材２２３は、リング形状を有することができる。例えば、水位検知用部材２２３は、図１０に示されたように円形のリング形状を有することができる。そして、水位検知用部材２２３は、再生タンク本体２２１に備えられた昇降ガイド２２１２に中央部が挿入され、昇降ガイド２２１２に沿って昇降されることができる。
【０１５４】
水位検知用部材２２３は、水に浮かぶ素材により形成することができる。これにより、水位検知用部材２２３は、再生タンク本体２２１に貯蔵された再生水の水位に応じて、昇降ガイド２２１２に対して昇降されることができる。例えば、水位検知用部材２２３は、発泡スチロールにより構成することができる。しかしながら、水位検知用部材２２３を成す素材は特に限定されることはなく、水より比重が小さくて水に浮かぶことができる素材であれば、どのような素材も用いることができる。
【０１５５】
図１０に示されたように、水位検知用部材２２３の内部には磁石２２３１を備えることができる。また、水処理装置１００には、磁力を検知する磁力検知センサー（図示はしていない）を備えることができる。これにより、再生タンク２２０が原水タンク２１０とともに水処理装置１００に装着されると、水処理装置１００に備えられた磁力検知センサーが水位検知用部材２２３の磁石２２３１の磁力を検知することで、再生タンク２２０に貯蔵された再生水の水位を検知することができる。
【０１５６】
再生タンク本体２２１は嵌合突起２２１３を含むことができる。嵌合突起２２１３には、後述の再生タンク蓋２２２に備えられたフック部材２２２２を嵌合することができる。
【０１５７】
再生タンク蓋２２２は、再生タンク本体２２１の開放した上部を覆うことができる。再生タンク蓋２２２は、排水部２２２１を含むことができる。再生タンク２２０に貯蔵された再生水は、排水部２２２１を介して外部に排出することができる。
【０１５８】
再生タンク蓋２２２は、フック部材２２２２を含むことができる。そして、フック部材２２２２は、嵌合孔２２２２ａを含むことができる。フック部材２２２２の嵌合孔２２２２ａに再生タンク本体２２１の嵌合突起２２１３を嵌合することで、再生タンク蓋２２２を再生タンク本体２２１に連結することができる。
【０１５９】
再生タンク本体２２１と再生タンク蓋２２２との間には、密封部材２２４を備えることができる。このような密封部材２２４により、再生タンク本体２２１と再生タンク蓋２２２を含む再生タンク２２０の内部が密閉されることができる。
【０１６０】
再生タンク蓋２２２には、第１旋回支持部材２２２３と第２旋回支持部材２２２４を備えることができる。第１旋回支持部材２２２３には、再生水流路連結部２４０に含まれる後述の流路連結部材２４１を旋回可能に備えられることができる。また、第２旋回支持部材２２２４には運搬用把手２２５が旋回可能に備えられることができる。これにより、ユーザは、運搬用把手２２５を把持して再生タンク２２０を容易に運ぶことができる。
【０１６１】
再生水流路連結部２４０は、再生タンク２２０に備えることができる。再生タンク２２０が原水タンク２１０とともに移動されて水処理装置１００に装着されると、再生水流路連結部２４０は、水処理装置１００に含まれるタンク連結部１４０に含まれた再生タンク連結部１４２に連結されることができる。
【０１６２】
再生タンク連結部１４２は、例えば、図２１に示されたように、タンク連結部１４０に含まれる連結部支持部材１４３に旋回可能に備えられることができ、弾性部材（図示はしていない）により弾性支持されることができる。また、再生タンク連結部１４２は、側面視において「、。」字形状を有することができる。このような再生タンク連結部１４２は、上述の再生タンクラインＬＲＧなどを介して水処理装置１００に含まれる濾過部３００に連結されることができる。
「、。」字状であることができる。
【０１６３】
これにより、原水タンク２１０とともに再生タンク２２０が水処理装置１００に装着されていない状態で、再生タンク連結部１４２は、図２１に示されたように、弾性部材の弾性力によって旋回されて待機位置に位置することができる。
【０１６４】
また、原水タンク２１０とともに再生タンク２２０が水処理装置１００に装着されると、再生タンク連結部１４２は、図２２に示されたように、再生タンク２２０の移動によって旋回されて連結位置に位置し、再生水流路連結部２４０に連結されることができる。
【０１６５】
これにより、空の再生タンク２２０を原水タンク２１０とともに水処理装置１００に装着した後、別に再生タンク２２０を水処理装置１００、例えば、水処理装置１００に含まれる濾過部３００に連結しなくても、原水タンク２１０とともに再生タンク２２０が水処理装置１００に装着すれば、再生タンク２２０を水処理装置１００に連結することができる。
【０１６６】
再生水流路連結部２４０は上述の再生タンク蓋２２２に備えられることができる。しかしながら、再生水流路連結部２４０を備える位置は特に限定されることはなく、再生タンク本体２２１に備えられるなど、再生タンク２２０のどのような位置にも備えられることができる。
【０１６７】
再生水流路連結部２４０は、流路連結部材２４１と、ロッド部材２４２と、開閉弾性部材２４３と、再生水開閉部材２４４とを含むことができる。
【０１６８】
流路連結部材２４１は、再生タンク蓋２２２に旋回可能に備えられることができる。上述のように、流路連結部材２４１は、再生タンク蓋２２２に備えられた第１旋回支持部材２２２３に旋回可能に備えられることができる。
【０１６９】
そして、流路連結部材２４１は、再生タンク蓋２２２の排水部２２２１を覆うことができる。流路連結部材２４１には排水密封部材２４１２が備えられ、流路連結部材２４１と排水部２２２１との間を密封することができる。したがって、再生タンク２２０に貯蔵された再生水を捨てるためには、流路連結部材２４１を旋回させて排水部２２２１を開放することができる。
【０１７０】
流路連結部材２４１は、上部が開放された挿入部２４１１を含むことができる。流路連結部材２４１の挿入部２４１１は、図１４に示されたように再生タンク連結部１４２が挿入されて連結されることができる。
【０１７１】
流路連結部材２４１の挿入部２４１１の下部には、図１３に示されたように流入孔２４１１ａを形成することができる。
【０１７２】
ロッド部材２４２は、流路連結部材２４１の挿入部２４１１に移動可能に備えられることができる。
【０１７３】
また、開閉弾性部材２４３は、流路連結部材２４１の挿入部２４１１に備えられ、ロッド部材２４２を弾性支持することができる。
【０１７４】
再生水開閉部材２４４は、ロッド部材２４２に連結することができる。そして、再生水開閉部材２４４は、流路連結部材２４１の挿入部２４１１に形成された上述の流入孔２４１１ａを開閉することができる。
【０１７５】
これにより、図１４に示されたように、タンク連結部１４０の再生タンク連結部１４２を流路連結部材２４１の挿入部２４１１に挿入すると、ロッド部材２４２が下降し、再生水開閉部材２４４が挿入部２４１１の流入孔２４１１ａを開放することができる。これにより、水処理装置１００で発生した再生水は、再生タンク連結部１４２と挿入部２４１１の流入孔２４１１ａを介して再生タンク２２０に流入して貯蔵されることができる。
【０１７６】
また、タンク連結部１４０の再生タンク連結部１４２を流路連結部材２４１の挿入部２４１１から取り外すと、ロッド部材２４２が上昇し、再生水開閉部材２４４が挿入部２４１１の流入孔２４１１ａを閉塞することができる。
【０１７７】
以下では、図１５から図２２を参照して、上述の供給部２００の一実施形態を含む本発明の一実施形態による水処理装置１００の構成について説明する。
【０１７８】
図１５は、図７から図１４に示された供給部の一実施形態を含む本発明の一実施形態による水処理装置の斜視図である。
【０１７９】
また、図１６は、図１５の本発明の一実施形態による水処理装置の内部が見えるように示した斜視図であって、供給部の一実施形態が装着されていない状態を示す。
【０１８０】
そして、図１７は、図１５の本発明の一実施形態による水処理装置の内部が見えるように示した斜視図であって、供給部の一実施形態が装着された状態を示す。
【０１８１】
また、図１８は、図１５の本発明の一実施形態による水処理装置のタンク連結部を拡大した斜視図である。
【０１８２】
そして、図１９及び図２０は、図１５の本発明の一実施形態による水処理装置の原水タンク連結部が供給部の一実施形態の流路連結部に連結されることを示す拡大斜視図である。
【０１８３】
また、図２１及び図２２は、図１５の本発明の一実施形態による水処理装置の再生タンク連結部が供給部の一実施形態の再生水流路連結部に連結されることを示す拡大斜視図である。
【０１８４】
本発明の一実施形態による水処理装置１００は、装置本体１２０と、上述の供給部２００と、濾過部３００と、タンク連結部１４０と、を含むことができる。その他の水処理装置１００の構成については、上述の説明で代替し、説明の便宜のために省略する。
【０１８５】
装置本体１２０は、図１６及び図１７に示されたように、濾過部３００とタンク連結部１４０を備えることができる。その他に、装置本体１２０には、冷却サイクルに含まれる圧縮器ＣＰや凝縮器ＣＤ、あるいは冷水タンク５１０などを備えることもできる。
【０１８６】
装置本体１２０は、供給部２００を装着する空間を含むことができる。装置本体１２０は、例えば、図１５に示されたように直角平行六面体を有することができる。しかしながら、装置本体１２０の形状は特に限定されることはない。濾過部３００とタンク連結部１４０などが備えられる装着空間を形成することができる形状であれば、どのような形状であっても可能である。
【０１８７】
装置本体１２０にはカバー１２１をヒンジ連結することができる。これにより、供給部２００の一実施形態を装置本体１２０に装着させた後、カバー１２１を閉じることができる。また、カバー１２１を開いて装置本体１２０に装着された供給部２００の一実施形態を装置本体１２０から取り出した後、カバー１２１を閉じることができる。
【０１８８】
装置本体１２０の内部両側面にはそれぞれ、図１６に示されたようにガイド部１２２を備えることができる。ガイド部１２２は、装置本体１２０の内側に向かってその間を細くすることができる。これにより、供給部２００を装置本体１２０の装着空間に容易に装着することができる。
【０１８９】
図１６に示されたように、装置本体１２０のガイド部１２２は、装着ガイド溝１２３を含むことができる。装着ガイド溝１２３は、上述の供給部２００の一実施形態の原水タンク２１０に形成された装着ガイド突起２１１３を係止するように挿入されることができる。これにより、供給部２００を水処理装置１００に装着すると、供給部２００が水処理装置１００から容易に外れないようにすることができる。
【０１９０】
装置本体１２０の底部には傾斜面１２４を形成することができる。これにより、供給部２００を容易に装置本体１２０の装着空間に挿入することができる。
【０１９１】
供給部２００は、図１６及び図１７に示されたように、装置本体１２０に着脱可能に備えられることができる。上述のように、装置本体１２０のカバー１２１を開いて供給部２００を装置本体１２０に着脱することができる。
【０１９２】
供給部２００については上述のとおりであるため、以下ではこれについての説明は省略する。
【０１９３】
また、濾過部３００についても上述のとおりであるため、以下ではこれについての説明は省略する。
【０１９４】
タンク連結部１４０は、濾過部３００に連結することができる。そして、供給部２００を装置本体１２０に装着すると、タンク連結部１４０を供給部２００に連結することができる。
【０１９５】
これにより、供給部２００が装置本体１２０に装着された後、別に供給部２００と濾過部３００を連結しなくても、供給部２００を装置本体１２０に装着するだけで、供給部２００を濾過部３００に連結することができる。
【０１９６】
そのために、タンク連結部１４０は、連結部支持部材１４３と原水タンク連結部１４１を含むことができる。
【０１９７】
連結部支持部材１４３は、装置本体１２０に備えられることができる。例えば、連結部支持部材１４３は、装置本体１２０に備えられる支持板ＳＰに固定されるように備えられることができる。
【０１９８】
原水タンク連結部１４１は、連結部支持部材１４３に旋回可能に備えられることができ、弾性部材（図示はしていない）によって弾性支持されることができる。そして、原水タンク連結部１４１は、供給部２００に含まれる上述の流路連結部２３０に連結されることができる。そのために、原水タンク連結部１４１は、連結部支持部材１４３の、供給部２００の流路連結部２３０の高さと対応する部分に備えられることができる。また、原水タンク連結部１４１は、側面視において「、。」字形状を有することができる。
【０１９９】
供給部２００が装置本体１２０に装着されていない状態で、原水タンク連結部１４１は、図１９に示されたように、弾性部材の弾性力によって旋回されて待機位置に位置することができる。
【０２００】
また、図１９及び図２０に示されたように、供給部２００を装置本体１２０に装着し、原水タンク２１０は原水タンク連結部１４１を旋回させ連結位置に位置することができる。これにより、原水タンク連結部１４１は、原水タンク２１０の原水タンク蓋２１２に備えられる流路連結部２３０と連結されることができる。
【０２０１】
例えば、原水タンク連結部１４１の原水連結部１４１ａは原水流路連結部２３１に連結され、原水タンク連結部１４１の殺菌水連結部１４１ｂは殺菌水流路連結部２３２に連結されることができる。そして、供給部２００を装置本体１２０から取り出すと、原水タンク連結部１４１は弾性部材の弾性力によって旋回され待機位置に位置することができる。
【０２０２】
原水タンク連結部１４１の原水連結部１４１ａと殺菌水連結部１４１ｂには、それぞれ、原水と殺菌水が流動する流路（図示はしていない）を形成することができる。そして、原水連結部１４１ａの流路は、上述の原水ラインＬＲＷなどを介して濾過部３００、例えば、濾過部３００の前処理フィルター３２０に連結することができる。また、殺菌水連結部１４１ｂの流路は、上述の原水タンクラインＬＲＴなどを介して濾過部３００、例えば、濾過部３００のイオン交換フィルター３１０に連結することができる。これにより、原水タンク２１０の原水は濾過部３００に供給され、イオン交換フィルター３１０で生成された殺菌水は原水タンク２１０に供給されることができる。
【０２０３】
タンク連結部１４０は、再生タンク連結部１４２をさらに含むことができる。再生タンク連結部１４２も、連結部支持部材１４３に旋回可能に備えられ、弾性部材（図示はしていない）によって弾性支持されることができる。そして、再生タンク連結部１４２は、供給部２００に含まれる上述の再生水流路連結部２４０に連結することができる。そのために、再生タンク連結部１４２は、連結部支持部材１４３の、供給部２００の再生水流路連結部２４０の高さと対応する部分に備えられることができる。また、再生タンク連結部１４２は側面視において「、。」字形状を有することができる。
【０２０４】
供給部２００が装置本体１２０に装着されていない状態で、再生タンク連結部１４２は、図２１に示されたように、弾性部材の弾性力によって旋回されて待機位置に位置することができる。
【０２０５】
また、図２１及び図２２に示されたように、供給部２００を装置本体１２０に装着することができ、再生タンク２２０が再生タンク連結部１４２を旋回させて連結位置に位置することができる。これにより、再生タンク連結部１４２は、再生タンク２２０の再生タンク蓋２２２に備えられる再生水流路連結部２４０に連結されることができる。
【０２０６】
そして、供給部２００を装置本体１２０から取り出すと、再生タンク連結部１４２は、弾性部材の弾性力によって旋回され待機位置に位置することができる。
【０２０７】
再生タンク連結部１４２には、再生水が流動する流路（図示はしていない）を形成することができる。そして、再生タンク連結部１４２は、上述の再生タンクラインＬＲＧなどを介して濾過部３００、例えば、濾過部３００のイオン交換フィルター３１０に連結されることができる。これにより、濾過部３００、例えば、濾過部３００のイオン交換フィルター３１０で発生した再生水を再生タンク２２０に供給することができる。
【０２０８】
以上のように、本発明による水処理装置を用いると、定電圧が印加された際には電気化学的なイオン交換により原水を濾過し、逆電圧が印加された際には再生されて殺菌水を生成するイオン交換フィルターを用いて水処理することができる。また、殺菌部を別に設けなくても、イオン交換フィルターで生成された殺菌水により水処理装置を殺菌することができ、水処理装置のサイズと生産コストを減少させて水処理装置を容易に生産することができる。
【０２０９】
上記のように説明された水処理装置は、上記で説明された実施形態の構成が限定されて適用されるのではなく、上記実施形態が多様に変形され得るように、各実施形態の全部または一部が選択的に組み合わされて構成されることもできる。
【０２１０】
以上、本発明の実施形態について詳細に説明してきたが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【図１】
0006522151.tif 000002
【図２】
0006522151.tif 000003
【図３】
0006522151.tif 000004
【図４】
0006522151.tif 000005
【図５】
0006522151.tif 000006
【図６】
0006522151.tif 000007
【図７】
0006522151.tif 000008
【図８】
0006522151.tif 000009
【図９】
0006522151.tif 000010
【図１０】
0006522151.tif 000011
【図１１】
0006522151.tif 000012
【図１２】
0006522151.tif 000013
【図１３】
0006522151.tif 000014
【図１４】
0006522151.tif 000015
【図１５】
0006522151.tif 000016
【図１６】
0006522151.tif 000017
【図１７】
0006522151.tif 000018
【図１８】
0006522151.tif 000019
【図１９】
0006522151.tif 000020
【図２０】
0006522151.tif 000021
【図２１】
0006522151.tif 000022
【図２２】
0006522151.tif 000023